(57)【特許請求の範囲】
【請求項１】
ばね受凸部を有し前面が開口されたソケットボディ、及び前記開口を閉鎖する前面カバーを備えるソケット本体と、
この本体の前面から突出して前記ソケット本体の厚み方向に移動可能に設けられた作動体と、
この作動体に収容された一対のコンタクトと、
スリットが設けられた接続部を有し前記ソケット本体に収められた自己鎖錠型の端子金具と、
後端部を前記ソケットボディのばね受凸部に嵌合して前記コンタクトと前記端子金具とにわたって前記ソケット本体に収められた一対の導電性コイルばねと、
を具備するとともに、
前記ソケットボディの内面には、幅方向両側に位置された複数の電線挿入孔とこれらに対応する前記ばね受凸部との間にわたる一対のリブが夫々一体に突設されて配線溝が形成されており、
前記コイルばねが、前記ソケット本体の前面から前記作動体を突出させる方向に付勢するコイル部、及びこのコイル部の後端から前記端子金具に向けて前記コイル部の中心部を仮想延長線が通るような線状をなして延びる延長部からなり、前記コイル部の前端部を前記コンタクトに直接接続するとともに、前記延長部を前記配線溝に収納し、かつ、前記延長部を前記端子金具の接続部の前記スリットに直接接続したことを特徴とするランプソケット。
【発明の詳細な説明】
【０００１】
【発明の属する技術分野】
本発明は、直管型蛍光ランプを支持するランプソケットに関する。
【０００２】
【従来の技術】
ランプソケットの中にはソケット本体の前面から突出する作動体を有したものがある。このソケットは、作動体の先端面を直管型蛍光ランプの口金端面に当接させて、蛍光ランプを極めて安定した状態に支持できる利点があり、高出力の直管型蛍光ランプ等を支持するのに適している。
【０００３】
この種ランプソケットのソケット本体に自己鎖錠型の端子金具を組込んだ構成では、蛍光ランプのランプピンに接するコンタクトから端子金具へと至る一対の導電径路の夫々が、前記端子金具と、作動体に収められた前記コンタクトと、このコンタクトを前端部に支持した導電性コイルばねと、このばねの後端を受ける金属製端子板と、この端子板に一端が接続されるとととともに他端が前記端子金具に接続されるワイヤやリード線等の導電部材とで形成されている。
【０００４】
【発明が解決しようとする課題】
前記のように従来は導電径路をなす部品として、ソケット本体内に、コンタクト、コイルばね、端子板、導電部材、及び端子金具の５部品を左右一対組込んだ構成であるから、部品点数が多く、それに伴い組立工数も多く掛かる。そのため、構造が複雑でコスト高であるという問題がある。加えて、前記導電径路における接続個所も４個所と多いから、それに従い導電径路全体での接触抵抗も高いという問題もある。
【０００５】
したがって、本発明が解決しようとする課題は、構造が簡単でコストダウンを図ることができるとともに、コンタクトから端子金具に至る導電径路全体での接触抵抗を小さくできるランプソケットを得ることにある。
【０００６】
【課題を解決するための手段】
前記課題を解決するために、請求項１の発明は、ばね受凸部を有し前面が開口されたソケットボディ、及び前記開口を閉鎖する前面カバーを備えるソケット本体と、この本体の前面から突出して前記ソケット本体の厚み方向に移動可能に設けられた作動体と、この作動体に収容された一対のコンタクトと、スリットが設けられた接続部を有し前記ソケット本体に収められた自己鎖錠型の端子金具と、後端部を前記ソケットボディのばね受凸部に嵌合して前記コンタクトと前記端子金具とにわたって前記ソケット本体に収められた一対の導電性コイルばねと、を具備するとともに、前記ソケットボディの内面には、幅方向両側に位置された複数の電線挿入孔とこれらに対応する前記ばね受凸部との間にわたる一対のリブが夫々一体に突設されて配線溝が形成されており、前記コイルばねが、前記ソケット本体の前面から前記作動体を突出させる方向に付勢するコイル部、及びこのコイル部の後端から前記端子金具に向けて前記コイル部の中心部を仮想延長線が通るような線状をなして延びる延長部からなり、前記コイル部の前端部を前記コンタクトに直接接続するとともに、前記延長部を前記配線溝に収納し、かつ、前記延長部を前記端子金具の接続部の前記スリットに直接接続したことを特徴とするとするものである。
【０００７】
この請求項１の発明においては、コンタクトを支持して作動体を付勢するコイルばねが、そのコイル部から一体に延長された線状の延長部を有し、この延長部を端子金具に直接接続したので、従来においてコイルばねと端子金具とを電気的に接続するために必要であった端子板及び導電部材を前記延長部で兼ねて、前記端子板及び導電部材を省略できる。それにより、部品点数及び組立工数を少なくできるとともに、コンタクトから端子金具に至る導電径路中の接続個所を、コイルばねのコイル部の前端部とコンタクトとの接続個所と、延長部と端子金具との接続個所の２個所と少なくできる。
【００１０】
【発明の実施の形態】
以下、図１〜図５を参照して本発明の第１の実施の形態を説明する。
【００１１】
図１から図３に示されるように本実施形態に係るランプソケット１は、ソケット本体２と、作動体３と、一対のコンタクト４と、一対の端子金具５と、一対のコイルばね６とを具備して形成されている。
【００１２】
合成樹脂製のソケット本体２は、前面が開口されたソケットボディ２ａにその前面開口を閉鎖する前カバー２ｂをねじ止め等により取付けて形成されている。なお、図１中２ｃは図示しない照明器具本体側のソケット取付け台にソケット本体２を連結するために、この本体２の厚み方向に延びて設けた取付け溝である。
【００１３】
ソケットボディ２ａの内面には一対の前向きのばね受凸部１１がソケットボディ２ａの幅方向に並んで一体に突設されているとともに、ソケットボディ２ａの前記取付け台に取付けられるベース部２ｄには複数例えば４個の電線挿入孔１２ａ、１２ｂ、１３ａ、１３ｂが開けられている。隣接した電線挿入孔１２ａ、１２ｂは一組として用いられ、他の隣接した電線挿入孔１３ａ、１３ｂも一組として用いられるもので、一方の電線挿入孔１２ａ、１３ａは給電用、他方の電線挿入孔１２ｂ、１３ｂは送り配線用である。
【００１４】
図４に示されるようにソケットボディ２ａの内面には、このボディ２ａの幅方向両側に位置された電線挿入孔１２ａ、１３ａとこれらに対応するばね受凸部１１との間にわたる一対のリブ１４が夫々一体に突設されている。これらのリブ１４は、突出高さが低いばね受凸部１１側の第１リブ部と、突出高さが高いベース部２ｄ側の第２リブ部とからなる。一対の第１リブ部間には後述する延長部を収容して位置決めするための配線溝１５が形成されている。一対の第２リブ部は端子金具５の支えとして利用されるものであって、その第１リブ部側には前端に開放するとともにソケットボディ２ａの後面方向に水平状に延びるスリット１６が形成されている。更に、一対のリブ１４間に位置してソケットボディ２ａの内面には他の一対のリブ１７が夫々一体に突設されている。これらのリブ１７の構成は前記第２リブ部の構成と同じである。
【００１５】
図５等に示されるように前記端子金具５は、同一構造の左右一対の金具本体５ａをブリッジ５ｂを介して一体に並設して形成され、各金具本体５ａは、金具主部１８の長手方向一端に接続部１９を後向きに直角に折り曲げるとともに、金具主部１８の長手方向他端に鎖錠部２０を折り曲げてなる。接続部１９にはスリット１９ａが設けられている。鎖錠部２０は、電線通孔２０ａを有した鎖錠ベース２０ｂと、これから金具主部１８側に折り曲げられた弾性変形可能な鎖錠片２０ｃとから形成されている。
【００１６】
これらの端子金具５は、その接続部１９を前記リブ１４、１７のスリット１６に夫々圧入するとともに、金具主部１８の後面をリブ１４の第２リブ部又はリブ１７の前端に当接させてソケットボディ２ａ内に取付けられている。この取付け状態において鎖錠部２０の電線通孔２０ａは前記電線挿入孔１２ａ、１２ｂ、１３ａ、１３ｂのいずれかに直接連続するように配設されるとともに、スリット１６は配線溝１５に連続するように配設される。したがって、電線挿入孔１２ａ、１２ｂ、１３ａ、１３ｂのいずれかに挿入された図示しない電線は、電線通孔２０ａを通って鎖錠片２０ｃを押し開きながらこの鎖錠片２０ｃの先端を通過し、鎖錠片２０ｃと金具主部１８との間に挟まれて端子金具５に自己鎖錠式に接続されるようになっている。
【００１７】
図１〜図３に示されるように前記前カバー２ｂには円形の作動体通孔２１が開けられているとともに、この通孔２１の両側に位置してソケットボディ２ａ側に突出する作動体ガイド２２が夫々一体に設けられている。前記作動体３は作動体通孔２１に通してソケット本体２の厚み方向に移動可能に設けられている。作動体３は、その外面に作動体ガイド２２に摺動自在に嵌合する一対の摺動凸部２３を有しているとともに、これらの凸部２３の前端が作動体通孔２１の孔縁に引っ掛って前方への抜け止めがされるようになっている。
【００１８】
この作動体３の前部に設けられた凹み２４の中央部にはコンタクトガイド２５が設けられているとともに、作動体３の内部は絶縁用の仕切り壁３ａにより左右に仕切りられている。前記一対のコンタクト４は仕切り壁３ａの両側に位置して作動体３内に左右に並べて収容されて、これらコンタクト４の前部は凹み２４の底壁２４ａを貫通して凹み２４内に夫々突出されている。これらコンタクト４の前部はコンタクトガイド２５が有する一対のガイド溝２５ａに夫々摺動自在に嵌合して支持されている。両コンタクト４は前記底壁２４ａに引っ掛かって前方への抜け止めがされるようになっている。
【００１９】
導電性を有する燐青銅等で成形される前記一対のコイルばね６は、図５等に示されるようにばね性を呈するコイル部２７と、このコイル部２７の後端から端子金具５方向に向けて一体に延出された直線状の延長部２８とから形成されている。コイル部２７の前端部にはコンタクト４が嵌め込んで接続されている。この直接接続によって、コンタクト４は水平な姿勢となるようにコイル部２７に支持されている。コイル部２７はその後端部を前記ばね受凸部１１に嵌合して圧縮状態にソケットボディ２ａと作動体３との間に夫々配設されている。そのため、これらコイル部２７のばね力によって、コンタクト４は前記底壁２４ａに押付けられるとともに、それに伴い作動体３の摺動凸部２３が前カバー２ｂに押付けられるようになっている。又、延長部２８は前記配線溝１５に収容して設けられ、この延長部２８の先端部は前記端子金具５のスリット１９ａに斜めに通されている。スリット１９ａの縁部は延長部２８の先端部に食い込んで接触され、こうしてコイルばね６は端子金具５の接続部１９に直接接続されている。従って、各コイルばね６はその両端を前記のようにコンタクト４又は端子金具５に直接接続した状態で、これらコンタクト４と端子金具５とにわたってソケット本体２に収められている。
【００２０】
互いに向かい合って照明器具本体に取付けられた前記構成のランプソケット１間に図示しない直管型蛍光ランプを取付けるには、まず、このランプの長手方向一端部の口金から突出された一対のランプピンを、一方のランプソケット１の作動体３の凹み２４に挿入する。この挿入により、一対のランプピンの夫々が一対のコンタクト４に接して、これらコンタクト４をコイルばね６のコイル部２７の付勢力に抗してソケット本体２の後側に向けて押込むから、やがて、前記口金の端面が作動体３の前面に当ってこの作動体３がコイル部２７の付勢力に抗して押込まれる。
【００２１】
この状態で、ランプの長手方向他端部の口金から突出された一対のランプピンを、他方のランプソケット１の作動体３の凹み２４に挿入する。この挿入により、一対のランプピンの夫々が前記他方のランプソケット１の一対のコンタクト４に接して、これらコンタクト４を前記他方のランプソケット１のコイルばね６のコイル部２７の付勢力に抗して前記他方のランプソケット１のソケット本体２の後側に向けて押込むから、やがて、前記口金の端面が作動体３の前面に当ってこの作動体３がコイル部２７の付勢力に抗して押込まれる。
【００２２】
前記手順により直管型蛍光ランプは一対のランプソケット１間にわたって支持される。こうしてランプが取付けられた状態では、各コイル部２７はランプが取付けられていない初期圧縮状態よりも更に圧縮されていて、これらコイル部２７の付勢力により、ランプピンに対してコンタクト４は弾性的に押付け保持されるとともに、作動体３も口金の端面に弾性的に押付け保持されている。
【００２３】
この蛍光ランプの支持状態におけるランプピンと端子金具５との間の導電径路は、ランプピンに接したコンタクト４と、このコンタクト４に直接接続されたコイルばね６と、このばね６の延長部２８に直接接続された端子金具５との３部品で形成されている。このように部品点数が少ない導電径路は、コンタクト４を支持して作動体３を付勢するコイルばね６が、そのコイル部２７から一体に延長された線状の延長部２８を有し、この延長部２８を端子金具５の接続部１９に直接接続したという構成により実現できる。
【００２４】
そのため、従来においてコイルばね６と端子金具５とを電気的に接続するために必要であった端子板及び導電部材を延長部２８で兼ねて、前記端子板及び導電部材を省略できるものであり、本実施形態に係るランプソケット１は、ソケット本体２に内蔵されて前記導電径路を形成する部品点数が少なく構造が簡単であるととに、それに伴い組立工数も少なくできる。従って、ランプソケット１のコストダウンを図ることができる。
【００２５】
しかも、既述のように部品点数を削減できることにより、コンタクト４から端子金具５に至る導電径路中の接続個所を、コイルばね６のコイル部２７の前端部とコンタクト４との接続個所と、コイルばね６の延長部２８と端子金具５との接続個所の２個所と少なくできる。従って、前記導電径路全体での接触抵抗を小さくできる。
【００２６】
図６および図７は本発明の参考例を示している。この参考例は基本的には前記第１の実施の形態と同様な構成であるので、同様構成部分には前記第１の実施の形態と同じ符号を付して、その構成および作用の説明を省略し、以下異なる部分について説明する。参考例が第１の実施の形態と異なる部分は、端子金具の金具本体及びコイルばね等である。
【００２７】
すなわち、この参考例において、端子金具５の金具本体５ａは、金具主部１８と鎖錠部２０とから形成されており、前記第１実施形態の端子金具に設けられていた接続部は省略されている。金具主部１８は垂直に延びる短冊状をなしており、これは後述のように接続部を兼ねるものである。又、燐青銅等からなる導電性のコイルばね６は、第１コイル部２７ａと、延長部２８と、第２コイル部２９とから形成されている。第１コイル部２７ａ及び延長部２８は前記第１実施形態のコイル部２７及び延長部２８と同様である。第２コイル部２９は延長部２８の先端に連ねて密着巻きされて設けられている。図６に示すようにリブ１４の中間は分断されていて、この分断された部分１４ｂに第２コイル部２９が配置されるようになっている。そして、図６（Ｂ）に示されるように第２コイル部２９と端子金具５とは、第２コイル部２９のコイル素線間に端子金具５の金具主部１８を挿入して挟むことによって直接接続されている。なお、以上の点以外の構成は、図６及び図７に図示されない部分を含めて前記第１実施形態と同じである。
【００２８】
したがって、この参考例の構成においても、前記第１実施形態と同様に、コイルばねと端子金具とを電気的に接続するために従来必要であった端子板及び導電部材を延長部２８及び第２コイル部２９で兼ねて、前記端子板及び導電部材を省略できる。それにより、部品点数及び組立工数を少なくできるとともに、コンタクト４から端子金具５に至る導電径路中の接続個所を、コイルばね６の第１コイル部２７ａの前端部とコンタクト４との接続個所と、第２コイル部２９と端子金具５の金具主部１８との接続個所の２個所と少なくできる。したがって、前記第１実施形態と同様に前記課題を解決することができる。
【００２９】
【発明の効果】
本発明は、以上説明したような形態で実施され、以下に記載されるような効果を奏する。
【００３０】
請求項１に記載の発明によれば、コイルばねと端子金具とを電気的に接続するために従来必要であった端子板及び導電部材を省略できるに伴い、部品点数及び組立工数を少なくできるから、構造が簡単となりコストダウンを図ることができるとともに、コンタクトから端子金具に至る導電径路中の接続個所が２個所と少ないから、前記導電径路全体での接触抵抗を小さくできる。
【図面の簡単な説明】
【図１】本発明の第１の実施の形態に係るランプソケットを示す正面図。
【図２】図１中Ｚ−Ｚ線に沿って示す断面図。
【図３】図１中Ｙ−Ｙ線に沿って示す断面図。
【図４】（Ａ）は図１に示されたランプソケットをその前カバーを取除いた状態で示す正面図。（Ｂ）は図４（Ａ）中Ｘ−Ｘ線に沿って示す断面図。
【図５】図１に示されたランプソケットの導電径路をなす各部品を分解して示す斜視図。
【図６】  （Ａ）は本発明の参考例に係るランプソケットをその前カバーを取除いた状態で示す正面図。
（Ｂ）は図６（Ａ）中Ｗ−Ｗ線に沿って示す断面図。
【図７】図６に示されたランプソケットの導電径路をなす各部品を分解して示す斜視図。
【符号の説明】
１…ランプソケット、
２…ソケット本体、
２ａ…ソケットボディ、
２ｂ…前面カバー、
３…作動体、
４…コンタクト、
５…端子金具、
６…コイルばね、
１１…ばね受凸部、
１２ａ，１３ａ…電線挿入孔、
１４…リブ、
１５…配線溝、
１８…金具主部、
１９…接続部、
１９ａ…スリット、
２０…鎖錠部、
２７…コイル部、
２７ａ…第１コイル部、
２８…延長部。
【図１】
0003728943.tif 000002
【図２】
0003728943.tif 000003
【図３】
0003728943.tif 000004
【図４】
0003728943.tif 000005
【図５】
0003728943.tif 000006
【図６】
0003728943.tif 000007
【図７】
0003728943.tif 000008